(57)【要約】【課題】毛髪化粧料を構成する複数の剤を、使用前まではそれぞれ隔離し、安定に保存し、使用時には、片手でワンタッチ操作で同時に吐出させることのできる毛髪化粧料パッケージを提供する。【解決手段】毛髪化粧料パッケージ１Ａが、表面の中央部に折曲線４を有する硬質のシート材料からなる蓋２と、蓋２の裏面に可撓性シート材料１０を固着することにより形成された少なくとも２つの剤収容部３ａ、３ｂと、剤収容部３ａ、３ｂに連通し、前記折曲線４を跨ぐ位置に形成された連通部５からなるディスペンサーパッケージの第１の剤収容部３ａに毛髪化粧料の第１剤を充填し、第２の剤収容部３ｂに毛髪化粧料の第２剤を充填する。この場合、第１の剤収容部３ａと第２の剤収容部３ｂをガスバリア性の異なるシート材料１１、１２から形成する。【選択図】　　図１
2004091032.tif 000002
【特許請求の範囲】
【請求項１】
表面の中央部に折曲線を有する硬質のシート材料からなる蓋と、蓋の裏面に可撓性シート材料を固着することにより形成された少なくとも２つの剤収容部と、剤収容部に連通し、前記折曲線を跨ぐ位置に形成された連通部からなるディスペンサーパッケージの第１の剤収容部に毛髪化粧料の第１剤を充填し、第２の剤収容部に毛髪化粧料の第２剤を充填した毛髪化粧料パッケージであって、
第１の剤収容部と第２の剤収容部がガスバリア性の異なるシート材料から形成されているパッケージ。
【請求項２】
第１の剤収容部に、アルカリ剤と必要により酸化染料を含有する第１剤が充填され、第２の剤収容部に過酸化水素を含有する第２剤が充填され、第１の剤収容部を形成する可撓性シート材料が、アンモニアに対してガスバリア性を有し、第２の剤収容部を形成する可撓性シート材料の少なくとも一部が酸素透過性である請求項１記載のパッケージ。
【請求項３】
第１の剤収容部を形成するガスバリア性の可撓性シート材料が延設され、第２の剤収容部を形成する可撓性シート材料の一部となっている請求項２記載のパッケージ。
【発明の詳細な説明】
【０００１】
【発明の属する技術分野】
本発明は、毛髪化粧料の第１剤と第２剤をディスペンサーパッケージの剤収容部に充填した毛髪化粧料パッケージに関する。
【０００２】
【従来の技術】
２剤形式の毛髪化粧料として、例えば、酸化染料とアルカリ剤を含有する第１剤と、過酸化水素等の酸化剤を含有する第２剤とからなる２剤形式の染毛剤が知られている。また、アルカリ剤を含有する第１剤と過酸化水素を含有する第２剤とからなる２剤形式のヘアブリーチも知られている。
【０００３】
このような２剤形式の毛髪化粧料は、保存安定性の点から第１剤と第２剤とが、それぞれプラスチックチューブ容器や、金属薄とプラスチックシートとの積層シートからなるチューブ容器等の可撓性容器に別個に収容され、使用時に第１剤と第２剤とがそれぞれ絞り出され、混合されている。
【０００４】
【特許文献１】特開２０００−００７０００号公報
【特許文献２】実公平３−１４１９号公報
【特許文献３】特許第２６７５０７５号公報
【０００５】
【発明が解決しようとする課題】
しかしながら、使用時に第１剤と第２剤とをそれぞれ可撓性容器から絞り出さなくてはならないという繁雑さがある。
【０００６】
これに対して、本発明は、毛髪化粧料を構成する複数の剤を、同時に、ワンタッチ操作で簡便に吐出させることのできる新たな毛髪化粧料のパッケージを提供することを目的とする。
【０００７】
【課題を解決するための手段】
本発明者らは、表面の中央部に折曲線を有する硬質のシート材料からなる蓋と、蓋の裏面に可撓性シート材料を固着することにより形成された少なくとも２つの剤収容部からなり、指で蓋を挟み、その蓋を、剤収容部を圧するようにＶ字型に折り曲げると、折曲線上に開口部が形成され、その開口部から内容物が押し出されるようにしたディスペンサーパッケージ（特許文献２参照）に２剤形式の毛髪化粧料を充填すると、毛髪化粧料を構成する２剤を片手でワンタッチ操作で同時に吐出させられること、さらに、ディスペンサーパッケージの剤収容部を形成するシート材料のガスバリア性を、毛髪化粧料を構成する個々の剤の要求特性に合わせて異ならせると、ディスペンサーパッケージに充填した毛髪化粧料の保存安定性を向上させられることを見出した。
【０００８】
即ち、本発明は、表面の中央部に折曲線を有する硬質のシート材料からなる蓋と、蓋の裏面に可撓性シート材料を固着することにより形成された少なくとも２つの剤収容部と、剤収容部に連通し、前記折曲線を跨ぐ位置に形成された連通部からなるディスペンサーパッケージの第１の剤収容部に毛髪化粧料の第１剤を充填し、第２の剤収容部に毛髪化粧料の第２剤を充填した毛髪化粧料パッケージであって、第１の剤収容部と第２の剤収容部がガスバリア性の異なるシート材料から形成されているパッケージを提供する。
【０００９】
【発明の実施の形態】
以下、図面を参照しつつ、本発明を詳細に説明する。なお、各図中、同一符号は同一又は同等の構成要素を表している。
【００１０】
図１は、本発明の一態様の毛髪化粧料パッケージ１Ａをその蓋２側から見た斜視図（ａ）と剤収容部３側から見た斜視図である。
【００１１】
この毛髪化粧料パッケージ１Ａは、表面の中央部に折曲線４を有する硬質のシート材料からなる蓋２と、蓋２の裏面に可撓性シート材料１０（１１、１２）を固着することにより形成した２つの剤収容部３（第１の剤収容部３ａ、第２の剤収容部３ｂ）と、剤収容部３に連通し、折曲線４をまたぐ位置に形成された連通部５からなるディスペンサーパッケージの第１の剤収容部３ａに、２剤形式の染毛剤の第１剤を充填し、第２の剤収容部３ｂにその染毛剤の第２剤を充填したものである。
【００１２】
ここで、染毛剤の第１剤は、一般に、酸化染料とアルカリ剤を含有し、ｐＨ７〜１３に調整された液状剤である。この第１剤の保存容器には、水分に対するバリア性の他、空気中の酸素による変質を防止するため酸素に対するガスバリア性が必要とされ、また、アルカリ剤として使用されるアンモニアの容器外への揮散を防止して所定のｐＨを維持できるようにするため、アンモニアに対するガスバリア性が必要とされる。さらに、保存安定性を向上させるため、遮光性も備えることが好ましい。
【００１３】
また、染毛剤の第２剤は、一般に、酸化剤として過酸化水素を含有し、ｐＨ１．５〜５に調整された液状剤である。この第２剤の保存容器には、水分に対するバリア性が必要とされる他、過酸化水素の分解により生じる酸素ガスを放出させて容器の膨張を防止するため、酸素透過性が必要とされる。
【００１４】
第１の染毛剤と第２の染毛剤の充填量は、一般的な髪の長さの頭髪全体を一回染めるのに必要な量（各々、通常２０〜４０ｇ）としてもよいが、短髪あるいは部分染め用の一回分として、各々５〜２０ｇとしてもよい。従来、このような小分け包装のパッケージとして利便性に優れたものはなかったため、本発明の毛髪化粧料パッケージは、小分け包装用のパッケージとして特に有用となる。
【００１５】
蓋２は、折り曲げることにより割ることのできる硬質の合成樹脂製のシート材料であって、上述の第１剤に必要とされる酸素、アンモニア及び水分に対するバリア性を備え、さらに好ましくは遮光性を備えたものから形成される。このようなシート材料としては、例えば、ポリエチレン、ポリエチレンテレフタレート、あるいはエチレン・ビニルアルコール共重合体樹脂やアルミニウム箔等で構成される多層シート等をあげることができる。
【００１６】
蓋２の表面の折曲線４はハーフカットにより形成されている。また、蓋２には、折曲線４を跨ぐ位置に、扁平な四角錐形状の凸部６が、蓋２の裏面を凹ませることにより形成されている。
【００１７】
２つの剤収容部３（３ａ、３ｂ）は、それぞれ独立したシート材料から形成されている。このうち、染毛剤の第１剤を収容する第１の剤収容部３ａを形成するシート材料１１は、可撓性であって、上述の第１剤に必要とされる酸素、アンモニア及び水分に対するバリア性を備え、さらに好ましくは遮光性を備えたものから形成される。このようなシート材料１１としては、例えば、ポリビニルアルコールフィルム、酸化ケイ素蒸着ポリビニルアルコールフィルム、エチレン・ビニルアルコール共重合体フィルム、酸化ケイ素蒸着ポリエチレンテレフタレートフィルム、アルミニウム箔等をガスバリア層として有し、ヒートシール性を持たせるため、このガスバリア層の上下にポリエチレン、ポリプロピレン、ナイロン等をラミネートしたものが好ましい。
【００１８】
第１の剤収容部３ａは、図１（ａ）において斜線で塗りつぶしたように該剤収容部３ａの周縁部に位置するシート材料１１を、蓋２に融着又は接着により固着させることにより形成されている。ただし、蓋２の凸部６と合わさる部分のシート材料１１は、蓋２に固着されておらず、この部分が連通部５となっている。
【００１９】
一方、染毛剤の第２剤を収容する第２の剤収容部３ｂを形成するシート材料は、可撓性であって、酸素透過性と水分に対するバリア性を有するシート材料１２から形成される。このようなシート材料１２としては、例えば、ポリエチレンフィルム、ポリプロピレンフィルム等をあげることができる。
【００２０】
第２の剤収容部３ｂも、第１の剤収容部３ａと同様に、蓋２の凸部６と合わさる部分を除き、剤収容部３ｂの周縁部においてシート材料１２を蓋２に固着することにより形成されている。
【００２１】
このパッケージから染毛剤を吐出させるときには、蓋２を指で挟み、さらにその蓋２を、剤収容部３を圧するようにＶ字型に折り曲げる。これにより、図２のように折曲線４でパッケージが折れ、凸部６が折曲線４と交叉する部位で割れて連通部５に開口部７が形成されると共に、２つの剤収容部３ａ、３ｂは押しつぶされ、開口部７から染毛剤の第１剤と第２剤が同時に吐出される。したがって、このパッケージ１Ａによれば、第１剤と第２剤の２剤を、片手でワンタッチ操作で同時に吐出させることが可能となる。また、このパッケージ１Ａによれば、第１剤と第２剤は、それぞれに適合したシート材料で形成された剤収容部３ａ、３ｂに封入されているので、これらの保存安定性も優れたものとなる。
【００２２】
図３は、異なる態様の本発明の毛髪化粧料パッケージ１Ｂをその蓋２側から見た斜視図（ａ）と剤収容部３側から見た斜視図である。
【００２３】
この毛髪化粧料パッケージ１Ｂは、第１の剤収容部３ａと第２の剤収容部３ｂとが独立したシート材料から形成されるのではなく、一枚のシート材料中に酸素、アンモニア及び水分に対するバリア性を備えたシート材料１１からなる領域と、酸素透過性と水分に対するバリア性を備えたシート材料１２からなる領域の双方を備えた連続したシート材料から形成されている点が異なっている。
【００２４】
このようなシート材料は、例えば、図４に示すように、ヒートシール可能なポリエチレン、ポリプロピレン等からなるフィルム層１３と、ポリビニルアルコールフィルム、酸化ケイ素蒸着ポリビニルアルコールフィルム、エチレン・ビニルアルコール共重合体フィルム、酸化ケイ素蒸着ポリエチレンテレフタレートフィルム、アルミニウム箔等からなる、酸素、アンモニア及び水分に対してバリア性を有するガスバリア層１４と、ポリエチレン、ポリプロピレン等からなるフィルム層１５を積層するが、一端側においてガスバリア層１４が欠如しているようにしたラミネートシート１６をあげることができる。
【００２５】
図４に示したラミネートシート１６を用いて毛髪化粧料パッケージ１Ｂの２つの剤収容部３ａ、３ｂを形成する場合、図３（ａ）において斜線で塗りつぶしたように、２つの剤収容部３ａ、３ｂの周縁部に位置するラミネートシート１６が蓋２に融着又は接着により固着され、該ラミネートシート１６の非固着領域に２つの剤収容部３ａ、３ｂと連通部５が形成されるようにする。またこの場合、製造上の位置ズレがあっても、第１の剤収容部３ａが確実に酸素、アンモニア及び水に対してバリア性を有するシート材料１１で密封されるように、図３（ｂ）に示したように、第１の剤収容部３ａを形成するガスバリア性のシート材料１１が延設され、第２の剤収容部３ｂを形成するシート材料の一部となるようにすることが好ましい。なお、第２の剤収容部３ｂは、その一部が酸素に対してバリア性を有するシート材料１１で形成されても、残りの領域が酸素透過性のシート材料１２から形成されるので、染毛剤の第２剤中の過酸化水素の分解により生じる酸素ガスが第２の剤収容部３ｂ内に充満して第２の剤収容部３ｂを膨れ上がらせることが防止される。
【００２６】
図５は、さらに異なる本発明の毛髪化粧料パッケージ１Ｃの斜視図である。この毛髪化粧料パッケージ１Ｃは、第１の剤収容部３ａと第２の剤収容部３ｂを形成する可撓性シート材料１０を、共に、酸素、アンモニア及び水分に対するバリア性を備えたシート材料１１とし、蓋２を、一枚の硬質のシート材料中に、酸素、アンモニア及び水分に対するバリア性を備えた領域１７と、酸素透過性と水分に対するバリア性を備えた領域１８を有する連続したシート材料から形成した点が、図３の毛髪化粧料パッケージ１Ｂと異なっている。
【００２７】
このように、第１の剤収容部３ａを画する蓋２と第２の剤収容部３ｂを画する蓋２とでそれらを構成するシート材料のガスバリア性を異ならせることによっても２剤形式の染毛剤の保存安定性を向上させることができる。
【００２８】
図６の毛髪化粧料パッケージ１Ｄは、図５の毛髪化粧料パッケージ１Ｃと同様に、第１の剤収容部３ａと第２の剤収容部３ｂを形成する可撓性シート材料１０を、共に、酸素、アンモニア及び水分に対するバリア性を備えたシート材料１１とし、蓋２を、一枚の硬質のシート材料中に、酸素、アンモニア及び水分に対するバリア性を備えた領域１７と、酸素透過性と水分に対するバリア性を備えた領域１８を有する連続したシート材料で形成したものであるが、この場合に、図６（ｂ）に斜線で塗りつぶした、第１の剤収容部３ａと第２の剤収容部３ｂとの間の領域１９において、シート材料１１と蓋２との固着部が、それらを引き剥がす方向に力を加えらることにより容易に剥離するようにしたものである。したがって、この毛髪化粧料パッケージ１Ｄによれば、染毛剤の使用時に、蓋２を折り曲げる前に、まず、第１の剤収容部３ａあるいは第２の剤収容部３ｂを押圧して、図７に示すように、第１の剤収容部３ａと第２の剤収容部３ｂとの間の領域１９においてシート材料１１と蓋２とを互いに剥離し、第１の剤収容部３ａと第２の剤収容部３ｂとを連通させ、染毛剤の第１剤と第２剤を矢印のように混合することができる。よって、その後に蓋２を折り曲げ、染毛剤を吐出させることにより、第１剤と第２剤を別個に吐出させる場合に比して、吐出後の混合操作を省略することができる。
【００２９】
なお、シート材料１１と蓋２との固着部を容易に剥離するように形成する方法としては、例えば、この部分のシート材料のヒートシール層として、特許第２６７５０７５号明細書（特許文献３）のカラム６（４１行）〜カラム７（４０行）に記載されている、溶融開始温度が異なる少なくとも２種以上のポリオレフィン系樹脂からなる樹脂混合物を使用すればよい。
【００３０】
本発明の毛髪化粧料パッケージはこの他種々の態様をとることができる。
例えば、蓋２には必ずしも凸部６を設ける必要はなく、図８に示した毛髪化粧料パッケージ１Ｅのように、図１に示した毛髪化粧料パッケージ１Ａから凸部６を省略してもよい。この場合には、使用時に蓋２を折り曲げると、図９に示したように、連通部５が破断することにより形成される開口部７から染毛剤が吐出される。
【００３１】
また、以上の例では、２剤形式の染毛剤を充填する場合について説明したが、アルカリ剤を含有し、酸化染料を含有しない第１剤と過酸化水素を含有する第２剤とからなる２剤形式のヘアブリーチ剤を充填する場合も、第１剤を収容する第１の剤収容部と、第２剤を収容する第２の剤収容部とで、これらを形成するシート材料のガスバリア性を異ならせればよい。より具体的には、このようなヘアブリーチ剤の第１剤を充填する第１の剤収容部は、アンモニアに対してガスバリア性を有するシート材料から形成する。酸素に対するガスバリア性は必ずしも必要ではない。また、第２剤を充填する第２の剤収容部は、酸素透過性のシート材料から形成する。
【００３２】
さらに、染毛剤あるいはヘアブリーチ剤の第１剤と第２剤及びトリートメント成分を配合した第３剤からなる３剤形式の毛髪化粧料にも、３つの剤収容部を有するディスペンサーパッケージを用い、個々の剤収容部を形成するシート材料のガスバリア性を調整することにより、本発明の毛髪化粧料パッケージとすることができる。
【００３３】
【発明の効果】
本発明の毛髪化粧料パッケージによれば、毛髪化粧料を構成する複数の剤を、使用前まではそれぞれ隔離し、安定に保存し、使用時には、片手でワンタッチ操作で複数の剤を同時に簡便に吐出させることが可能となる。
【００３４】
また、本発明の毛髪化粧料パッケージは、小分け包装用の毛髪化粧料パッケージとして特に有用となる
【図面の簡単な説明】
【図１】毛髪化粧料パッケージの斜視図である。
【図２】染毛剤を吐出させている状態の毛髪化粧料パッケージの斜視図である。
【図３】毛髪化粧料パッケージの斜視図である。
【図４】ラミネートシートの断面図である。
【図５】毛髪化粧料パッケージの斜視図である。
【図６】毛髪化粧料パッケージの斜視図（ａ）、（ｂ）及び断面図（ｃ）である。
【図７】毛髪化粧料パッケージの斜視図（ａ）及び断面図（ｂ）である。
【図８】毛髪化粧料パッケージの斜視図である。
【図９】染毛剤を吐出させている状態の毛髪化粧料パッケージの斜視図である。
【符号の説明】
１Ａ、１Ｂ、１Ｃ、１Ｄ、１Ｅ　毛髪化粧料パッケージ
２　　蓋
３　　剤収容部
３ａ　第１の剤収容部
３ｂ　第２の剤収容部
４　　折曲線
５　　連通部
７　　開口部
１０　　可撓性シート材料
１１　　酸素及びアンモニアに対してガスバリア性のシート材料
１２　　酸素透過性のシート材料
１７　　硬質のシート材料中の酸素及びアンモニアに対してガスバリア性を備えた領域
１８　　硬質のシート材料中の酸素透過性の領域
１９　　シート材料と蓋とを容易に剥離できるようにした領域
【図１】
2004091032.tif 000003
【図２】
2004091032.tif 000004
【図３】
2004091032.tif 000005
【図４】
2004091032.tif 000006
【図５】
2004091032.tif 000007
【図６】
2004091032.tif 000008
【図７】
2004091032.tif 000009
【図８】
2004091032.tif 000010
【図９】
2004091032.tif 000011